(57)【要約】      （修正有）【課題】物品を収納可能なベンチにおいて、収納空間を形成する壁面部に位置するパネルの破損を低減したベンチを提供する。【解決手段】ベンチ１は、収納空間Ｒを画定するフレーム１０と、フレーム１０により形成された壁面部１１０に取り付けられるパネル２０と、フレームにより形成された天面部を覆う開閉式の上蓋３０とを備え、パネル２０が、人Ｈが上蓋３０に着座したときに足が当たる第１の壁面部１１１の位置において、少なくとも部分的に剛性パネルから形成されている。【選択図】図１
0003188670.tif 000002
【実用新案登録請求の範囲】
【請求項１】
収納空間を画定するフレームと、
前記フレームにより形成された壁面部に取り付けられるパネルと、
前記フレームにより形成された天面部を覆う開閉式の上蓋とを備え、
前記パネルが、人が前記上蓋に着座したときに足が当たる第１の壁面部の位置において、少なくとも部分的に剛性パネルから形成されることを特徴とするベンチ。
【請求項２】
前記パネルが、さらに前記第１の壁面部に隣り合う第２の壁面部の位置において、少なくとも部分的に剛性パネルから形成されることを特徴とする請求項１に記載のベンチ。
【請求項３】
前記パネルが、さらに前記第１の壁面部に隣接しない第３の壁面部の位置において、少なくとも部分的に剛性パネルから形成されることを特徴とする請求項１又は２に記載のベンチ。
【請求項４】
前記剛性パネルがアルミニウム、アルミニウム合金及びステンレス鋼からなる群から選択される金属から形成されることを特徴とする請求項１ないし３のいずれか１項に記載のベンチ。
【請求項５】
前記剛性パネルが繊維強化樹脂から形成されることを特徴とする請求項１ないし３のいずれか１項に記載のベンチ。
【請求項６】
前記フレームが直方体形状であることを特徴とする請求項１ないし５のいずれか１項に記載のベンチ。
【考案の詳細な説明】
【技術分野】
【０００１】
本考案は、物品を収納可能なベンチに関する。
【背景技術】
【０００２】
天井部分を開口とし、内部に物品を収納可能な筐体と、筐体の開口を開閉可能に密封し、座面を有する天板を備えたベンチが知られている。また、上面が開口したボックス本体と、ボックス本体の開口を覆う蓋を備えた収納ボックスが知られている（例えば、特許文献１及び特許文献２参照）。
【先行技術文献】
【特許文献】
【０００３】
【特許文献１】特開２００２−２３８６９９号公報
【特許文献２】実開平３−８４７３４号公報
【考案の概要】
【考案が解決しようとする課題】
【０００４】
本考案は、物品を収納可能なベンチにおいて、収納空間を形成する壁面部に位置するパネルの破損を低減したベンチを提供することを目的とする。
【課題を解決するための手段】
【０００５】
（１）本考案に係る態様は、収納空間を画定するフレームと、フレームにより形成された壁面部に取り付けられるパネルと、フレームにより形成された天面部を覆う開閉式の上蓋とを備え、パネルが、人が上蓋に着座したときに足が当たる第１の壁面部の位置において、少なくとも部分的に剛性パネルから形成されるベンチを提供する。
（２）パネルが、上記（１）に記載のベンチにおいて、さらに第１の壁面部に隣り合う第２の壁面部の位置において、少なくとも部分的に剛性パネルから形成されてもよい。
（３）パネルが、上記（１）又は（２）に記載のベンチにおいて、さらに第１の壁面部に隣接しない第３の壁面部の位置において、少なくとも部分的に剛性パネルから形成されてもよい。
（４）剛性パネルが、上記（１）ないし（３）のいずれかに記載のベンチにおいて、アルミニウム、アルミニウム合金及びステンレス鋼からなる群から選択される金属から形成されてもよい。
（５）剛性パネルが、上記（１）ないし（３）のいずれかに記載のベンチにおいて、繊維強化樹脂から形成されてもよい。
（６）フレームが、上記（１）ないし（４）のいずれかに記載のベンチにおいて、直方体形状であってもよい。
【考案の効果】
【０００６】
本考案によれば、物品を収納可能なベンチにおいて、収納空間を形成する壁面部に位置するパネルの破損を低減したベンチを提供できる。
【図面の簡単な説明】
【０００７】
【図１】本考案の実施形態に係るベンチに人が着座した状態を示す概略斜視図である。
【図２】ベンチの上蓋が開いた状態を示す概略斜視図である。
【考案を実施するための形態】
【０００８】
以下、本考案の実施形態に係るベンチ１を、添付図面に基づき詳細に説明する。
【０００９】
図１及び図２において、ベンチ１は、収納空間Ｒを画定するフレーム１０と、フレーム１０により形成された壁面部１１０に取り付けられるパネル２０と、フレームにより形成された天面部１２０を覆う開閉式の上蓋３０とを備え、パネル２０が、人Ｈが上蓋３０に着座したときに足が当たる第１の壁面部１１１の位置において、少なくとも部分的に剛性パネルから形成されている。
【００１０】
フレーム１０は、直方体形状である。したがって、フレーム１０で画定される収納空間Ｒも略直方体形状となっている。フレーム１０は、長方形状の下側フレーム１１と、長方形状の下側フレーム１１の４隅から立ち上がる４本の縦フレーム１２と、立ち上がった４本の縦フレーム１２が４隅に位置する長方形状の上側フレーム１３とを備えている。フレーム１０を構成する各フレームの横断面形状はＬ字の山形で、稜線を外側に向けて配置されている。
【００１１】
下側フレーム１１は、一対の長い横フレーム１１Ａと、一対の短い横フレーム１１Ｂで形成されている。上側フレーム１３は、一対の長い横フレーム１３Ａと、一対の短い横フレーム１３Ｂで形成されている。
【００１２】
フレーム１０は、長い横フレーム１１Ａと、短い横フレーム１１Ｂと、長い横フレーム１３Ａと、短い横フレーム１３Ｂと、縦フレーム１２とが一体で形成されたフレームであってもよいし、フレーム１０を構成するこれらの各フレームが、ねじ、リベット等の締結具、接着で連結されて組み合わされたフレームであってもよい。
【００１３】
また、縦フレーム１２は４本に限らず、隣り合う側フレーム１２間に縦フレームを設けてもよい。また、隣り合う縦フレーム１２間に中桟を渡して設けてもよい。さらに、下側フレーム１１に、例えば、ゴム製の足を設けてもよい。
【００１４】
フレーム１０の材質としては、金属、樹脂、木材等を用いることができる。また、これらの材料を組み合わせて用いてもよい。樹脂を用いた場合、フレーム１０を成型で容易に得ることができる。
【００１５】
フレーム１０によって、第１の壁面部１１１、第２の壁面部１１２、第３の壁面部１１３、天面部１２０、底面部１３０が形成されている。第１の壁面部１１１、第２の壁面部１１２、第３の壁面部１１３、天面部１２０、底面部１３０には、それぞれパネル２１、２２、２３、２４、２５が取り付けられている。パネル２１、２２、２３、２４、２５は矩形状で、フレーム１０の内側に、ねじ、リベット等の締結具、接着等で取り付けられている。なお、パネル２１、２２、２３、２４、２５は、フレーム１０の外側から取り付けられていてもよい。
【００１６】
上蓋３０は、上側フレーム１３の一対の長い横フレーム１３Ａの一方に、２つの蝶番４０によって開閉可能に取り付けられている。上蓋３０は、閉じることによって、天面部１２０を覆う。なお、上蓋３０は、上側フレーム１３の一対の短い横フレーム１３Ｂの一方に開閉可能に取り付けられていてもよい。
【００１７】
上蓋３０は、３枚の天板３１の両端を横木３２で連結した、いわゆる簀子となっている。横木３２は、両端の２箇所に加えて、両端の間に設けてもよい。上蓋３０は、簀子に限らず１枚板であってもよい。上蓋３０の材質としては、木材、樹脂、金属等を用いることができる。
【００１８】
上蓋３０は、上蓋３０の開閉角度の制限手段であるステー５０で開閉角度が制限されている。ステー５０は、一端が上蓋３０の横木３２に、他端が上側フレーム１３の一対の短い横フレーム１３Ｂの一方に取り付けられている。ステー５０は、上蓋３０を閉じたときに、折れ曲がる。ここで、ステー５０は、上蓋３０の両端の横木３２とそれぞれの同じ側の上側フレーム１３の短い横フレーム１３Ｂとの間に取り付けられていてもよい。
【００１９】
ステー５０の材料としては、金属、樹脂等が挙げられる。また、ステー５０は、開閉角度が調整できる伸縮可能なステーであってもよい。さらに、開閉角度が９０°より大きい場合には、上蓋３０の開閉角度の制限手段として布、皮革等を、上蓋３０の横木３２と上側フレーム１３の短い横フレーム１３Ｂとの間に渡して取り付けて用いることができる。なお、図２には図示していないが、さらに人Ｈの手などが挟まれないように、上蓋３０が何らかの理由により突然に閉じられることを防止するため、ステー５０の代わりにダンパーを取り付けてもよい。そうすれば、人Ｈが例えば小さな子供やお年寄りの場合であっても、より安全にかつ安心してベンチ１を用いることができる。
【００２０】
図１において、人Ｈが上蓋３０に着座したときに、第１の壁面部１１１の位置に取り付けられたパネル２１に足が当たる。ここで、パネル２１は、少なくとも足があたる部分が剛性パネルから形成されている。より好ましくは、パネル２１の全体が剛性パネルで形成されているのがよい。
【００２１】
また、第１の壁面部１１１に隣り合う第２の壁面部１１２の位置において、パネル２２、２３は、少なくとも部分的に剛性パネルから形成されているのがより好ましく。さらに、第１の壁面部１１１に隣接しない第３の壁面部１１３の位置において、少なくとも部分的に剛性パネルから形成されているのがより好ましい。
【００２２】
剛性パネルは、アルミニウム、アルミニウム合金及びステンレス鋼からなる群から選択される金属から形成されている。ここで、パネルの剛性を高めるために表面に凹凸加工を施したり、アルミハニカム構造を採用したりしてもよい。また、剛性パネルには、必要に応じて防錆処理、塗装を施してもよい。また、剛性パネルは、金属製のほかに、炭素繊維強化樹脂やガラス繊維強化樹脂などの繊維強化樹脂で形成してもよい。
【００２３】
実施形態によれば、パネル２１が、人Ｈが上蓋３０に着座したときに足が当たる第１の壁面部１１１の位置において、少なくとも足の当たる部分が剛性パネルであるパネル２１から形成されているので、パネル２１が足の踵等によって破損されるのが抑えられる。したがって、物品Ａを収納可能なベンチ１において、収納空間Ｒを形成する第１の壁面部１１１に位置するパネル２１の破損を低減したベンチ１が得られる。
【００２４】
また、パネル２２、２３が、第１の壁面部１１１に隣り合う第２の壁面部１１２の位置において、少なくとも部分的に剛性パネルから形成されていれば、パネル２１が破損されるのが抑えられるのに加えて、パネル２２、２３が足の踵等によって破損されるのが抑えられる。
【００２５】
また、パネル２５が、第１の壁面部１１１に隣接しない第３の壁面部１１３の位置において、少なくとも部分的に剛性パネルから形成されていれば、パネル２１、２２、２３が破損されるのが抑えられるのに加えて、パネル２４が足の踵等によって破損されるのが抑えられる。
【００２６】
剛性パネルは、アルミニウム、アルミニウム合金及びステンレス鋼からなる群から選択される金属や繊維強化樹脂などから形成されているので、コストを抑えつつ、パネル２１、２２、２３、２４が足の踵等によって破損されるのが抑えられる。
【００２７】
実施形態のフレーム１０は、直方体形状であるが、人Ｈが着座できる形状であれば、三角柱形状、円柱形状、多角柱形状等であってもよい。また、ベンチ１には、背もたれを設けてもよい。この場合、人Ｈが背もたれに体重をかけても上蓋３０が開かない程度の高さとする。また、上蓋３０に着座位置に合わせて窪みを設けてもよい。背もたれや窪みを設けた場合、人Ｈが着座する位置が決まるので、人が上蓋３０に着座したときに足が当たる部分のパネルを剛性パネルにすればよく、製造コストを抑えられる。
【００２８】
本考案は、ベンチに限らず、収納ボックス等にも適用可能である。
【符号の説明】
【００２９】
１…ベンチ
１０…フレーム
１１…下側フレーム
１２…縦フレーム
１３…上側フレーム
１１Ａ…横フレーム
１１Ｂ…横フレーム
１３Ａ…横フレーム
１３Ｂ…横フレーム
２０…パネル
２１、２２、２３、２４、２５…パネル
３０…上蓋
３１…天板
３２…横木
４０…蝶番
５０…ステー
１１０…壁面部
１１１…第１の壁面部
１１２…第２の壁面部
１１３…第３の壁面部
１２０…天面部
１３０…底面部
Ａ…物品
Ｈ…人
Ｒ…収納空間
【図１】
0003188670.tif 000003
【図２】
0003188670.tif 000004